(57)【特許請求の範囲】
【請求項１】
基端側と開口端側とに区画する隔壁部を有するシリンダ体と、シリンダ体内に隔壁部を挟んで対向するように収装されながら同期摺動する一対のピストンと、各ピストンによって画成される隔壁部を挟んで対向する圧側圧力室と伸側圧力室と、この隔壁部を介して圧側圧力室と伸側圧力室にそれぞれ連通されるアキュムレータと、隔壁部を介して圧側圧力室と伸側圧力室に連通される油圧ポンプと、圧側圧力室と伸側圧力室とを隔壁部を介して連通する流路と、流路の途中に設けた圧側減衰バルブおよび伸側減衰バルブとを備えたことを特徴とするダンパ
【請求項２】
駆動されていない油圧ポンプに圧側圧力室および伸側圧力室からの油圧が及ばないように設定されてなる請求項１に記載のダンパ
【請求項３】
圧側減衰バルブおよび伸側減衰バルブの作動を切換バルブで阻止し得るように設定されてなる請求項１または２に記載のダンパ
【発明の詳細な説明】
【０００１】
【発明の属する技術分野】
この発明は、衝撃や振動の吸収に利用するダンパの改良に関する。
【０００２】
【従来の技術】
たとえば、建物免震を具現化する図２に示す免震装置では、地盤Ｂ上に立設されて建物Ａを支承する柱状積層ゴムからなる免震体Ｐにおける撓みで地震による地盤Ｂの横揺れを建物Ａに伝播させないようにしている。
【０００３】
その一方で、この免震装置にあっては、建物Ａと地盤Ｂの間にダンパＤを有していて、このダンパＤの伸縮作動時における減衰作用で地震による建物Ａの横揺れを速やかに沈静化させるとしている。
【０００４】
このとき、ダンパＤは、図３に示すように、両ロッド構造に形成されていて、たとえば、基端が可動側となる建物Ａ側に連結されるシリンダ体１（図２参照）内にピストン２で画成される圧側圧力室Ｒ１と伸側圧力室Ｒ２を有してなるとしている。
【０００５】
そして、このダンパＤは、ピストン２に連設されたロッド体３をシリンダ体１の開口端から外部に突出させて、このロッド体３の図示しない基端を固定側たる地盤Ｂ側に連結するとしている（図２参照）。
【０００６】
また、このダンパＤにあっては、上記の二つの圧力室Ｒ１，Ｒ２に連通されて油温補償するアキュムレータ４を有すると共に、二つの圧力室Ｒ１，Ｒ２間を連通する流路５中に圧側減衰バルブ６および伸側減衰バルブ７を有するとしている。
【０００７】
それゆえ、上記のダンパＤにあっては、地震で建物Ａが地盤Ｂに対して横揺れするときに伸縮作動し、その際の各減衰バルブ６，７による減衰作用で建物Ａがいつまでも揺れ続かないように沈静化することが可能になる。
【０００８】
【発明が解決しようとする課題】
しかしながら、上記したダンパＤにあっては、地震による伸縮作動が納まった後に、ピストン２がシリンダ体１内で必ず中央にある中立状態に戻ると言う保障がなく、したがって、このダンパＤを有する免震装置における繰り返しの作動を保障し得なくなる危惧がある。
【０００９】
すなわち、上記のダンパＤにあっては、外力が作用しない限りには、ピストン２がシリンダ体１内を摺動することがなく、それゆえ、地震による伸縮作動が納まったときに、ピストン２がシリンダ体１内の中央になく、したがって、ダンパＤが中立状態にないことがある。
【００１０】
そして、地震による伸縮作動が納まったときに、ダンパＤが中立状態にない場合には、つぎの地震によってこのダンパＤが伸縮作動する状況におかれても、その作動が保障されなくなる可能性があり、このダンパＤを有する免震装置の再利用が保障されなくなる危惧がある。
【００１１】
この発明は、このような現状を鑑みて創案されたものであって、その目的とするところは、作動後に中立状態に戻すのを容易にしてその再利用を保障し、たとえば、免震装置の汎用性の向上を期待するのに最適となるダンパを提供することである。
【００１２】
【課題を解決するための手段】
上記した目的を達成するため、この発明によるダンパの構成は、基端側と開口端側とに区画する隔壁部を有するシリンダ体と、シリンダ体内に隔壁部を挟んで対向するように収装されながら同期摺動する一対のピストンと、各ピストンによって画成される隔壁部を挟んで対向する圧側圧力室と伸側圧力室と、この隔壁部を介して圧側圧力室と伸側圧力室にそれぞれ連通されるアキュムレータと、隔壁部を介して圧側圧力室と伸側圧力室に連通される油圧ポンプと、圧側圧力室と伸側圧力室とを隔壁部を介して連通する流路と、流路の途中に設けた圧側減衰バルブおよび伸側減衰バルブとを備えた。
【００１３】
それゆえ、ダンパにあって、各圧力室がそれぞれアキュムレータに連結されることで、油温補償が確実に実現されると共に、各圧力室に圧力供給源たる油圧ポンプが連結されることで、伸縮作動が停止されたときに、ダンパがいわゆる中立状態になくても、油圧ポンプを駆動することで、各圧力室における油量を同じにして、ダンパを中立状態に戻すことが可能になる。
【００１４】
そして、この場合のダンパにあっては、各圧力室に連通してシリンダ体の外部に配在される流路が、シリンダ体の両端側から延在される場合に比較して、全体的に短くなり、その結果、流路抵抗が小さくなるから、流路径を小さくし、また、各減衰バルブの径を小さくするなどして、全体的なコンパクト化を可能にし得ることになる。
【００１５】
このとき、駆動されていない油圧ポンプに圧側圧力室および伸側圧力室からの油圧が及ばないように設定されてなるとし、そして、減衰バルブの作動を切換バルブで阻止し得るように設定されてなるとする。
【００１６】
【発明の実施の形態】
以下に、図示した実施形態に基づいて、この発明を説明する。
【００１７】
本発明のダンパＤは、基端側と開口端側とに区画する隔壁部１１を有するシリンダ体１と、シリンダ体１内に隔壁部１１を挟んで対向するように収装されながら同期摺動する一対のピストン２ａ，２ｂと、ピストン２ａ，２ｂによって画成される隔壁部１１を挟んで対向する圧側圧力室Ｒ２と伸側圧力室Ｒ１と、この隔壁部１１を介して圧側圧力室Ｒ２と伸側圧力室Ｒ１にそれぞれ連通されるアキュムレータ４ａ，４ｂと、隔壁部１１を介して圧側圧力室Ｒ２と伸側圧力室Ｒ１に連通される油圧ポンプ８と、圧側圧力室Ｒ２と伸側圧力室Ｒ１とを隔壁部１１を介して連通する流路５ｂ，５ｃと、流路５ｃの途中に設けた圧側減衰バルブ７と、流路５ｂの途中に設けた伸側減衰バルブ６とを備えて構成されている。
【００１８】
そして、シリンダ体１の基端が連結される可動側は、このダンパＤが、たとえば、前記した従来の場合と同様に、建物免震を具現化する免震装置に配備されるものであるとき、建物Ａ側とされている。
【００１９】
さらに、ダンパＤを構成するシリンダ体１内に二つのピストン２ａ，２ｂが収装されて、二つの圧力室たる圧側圧力室Ｒ１と伸側圧力室Ｒ２が画成されるとしている。
【００２０】
また、シリンダ体１内のピストン２ａ，２ｂを連設させながらシリンダ体１の開口端から外部に突出するロッド体３が連結される固定側は、上記したところと同様のときに、地盤Ｂ側とされている。
【００２１】
このダンパＤにあっては、シリンダ体１がこのシリンダ体１内を図中で左側となる基端側と図中で右側となる開口端側とに区画する隔壁部１１を有してなるとしている。
【００２２】
そして、このダンパＤにあっては、シリンダ体１内に上記の隔壁部１１を挟んで対向するように収装されながら同期摺動する一対のピストン２ａ，２ｂによって隔壁部１１を挟んで対向する圧側圧力室Ｒ２と伸側圧力室Ｒ１とを画成している。
【００２３】
さらに、図１に示すダンパＤにあっては、隔壁部１１を介して圧側圧力室Ｒ２および伸側圧力室Ｒ１にそれぞれアキュムレータ４ａ，４ｂが連結されてなるとしている。
【００２４】
それゆえ、ダンパＤにあっては、各圧力室Ｒ１，Ｒ２ごとの油温補償が確実に実現されて、シールの劣化や破損を効果的に回避し得ることになる。
【００２５】
つぎに、図１に示すダンパＤにあっては、シリンダ体１の外部に配在されて圧側圧力室Ｒ２と伸側圧力室Ｒ１とを隔壁部１１を介して連通する流路５ａに圧力供給源としての油圧ポンプ８が連結されてなるとしている。
【００２６】
それゆえ、このダンパＤにあっては、伸縮作動で各圧力室Ｒ１，Ｒ２が広狭した状態でその伸縮が停止されたときに、ピストン２ａ，２ｂがシリンダ体１に対していわゆる中立状態になくても、圧力供給源たる油圧ポンプ８を駆動することで、各圧力室Ｒ１，Ｒ２における油量を同じにして、ピストン２ａ，２ｂをシリンダ体１内の中央に戻し、中立状態に戻すことが可能になる。
【００２７】
ちなみに、ダンパＤにおける伸縮状況は、たとえば、図示しないが、ダンパＤに装備されたストロークセンサーの検出するところに基づいて判断されたりするであろう。
【００２８】
以上からすれば、特に、図１に示すダンパＤにあっては、各圧力室Ｒ１，Ｒ２に油圧ポンプ８が連結されることで、伸縮作動した後にこれを中立状態に戻すことが可能になる。
【００２９】
また、図示するところでは、油圧ポンプ８が固定型として提案されているが、これに代えて、図示しないが、流量を変更できる調整型に設定されているとしても良い。
【００３０】
さらに、このダンパＤにあって、この圧側圧力室Ｒ２と伸側圧力室Ｒ１とを隔壁部１１を介して連通する流路５ｂ，５ｃを設けており、一方の流路５ｃの途中には圧側減衰バルブ７が、他方の流路５ｂの途中には伸側減衰バルブ６がそれぞれ設けられている。
【００３１】
それゆえ、この図１に示すダンパＤにあっては、各圧力室Ｒ１，Ｒ２に連通してシリンダ体１の外部に配在される流路５ａおよび流路５ｂ，５ｃが全体的に短くなり、その結果、流路抵抗が小さくなるから、流路径を小さくし、また、各減衰バルブ６，７の径を小さくするなどで、全体的なコンパクト化が可能になる。
【００３２】
すなわち、従来のダンパＤでは、上記の流路５ａおよび流路５ｂ，５ｃに相当する流路がシリンダ体１の両端側から延在されることになる。
【００３３】
それゆえ、この図３に示すダンパＤに比較すれば、本発明の実施の形態である図１に示すダンパＤにあっては、流路５および流路５ｂ，５ｃが全体的に短くなる点で有利となる。
【００３４】
戻って、この実施形態によるダンパＤにあっては、その伸縮作動時における各減衰バルブ６，７の作動を保障するために、油圧ポンプ８を配在させる流路５ａにオペレートチェック弁８ａ，８ｂを設けて、駆動されていない油圧ポンプ８に圧側圧力室Ｒ２および伸側圧力室Ｒ１からの油圧が及ばないようにしている。
【００３５】
つぎに、上記の油圧ポンプ８を駆動してこのダンパＤを中立状態に戻すときに、その作動が確実に実現されるように、以下の配慮をしている。
【００３６】
すなわち、各減衰バルブ６，７には、この各減衰バルブ６，７の作動を阻止する開閉バルブからなる切換バルブ６ａ，７ａが併設されてなるとしている。
【００３７】
それゆえ、油圧ポンプ８を駆動してこのダンパＤを中立状態に戻すとき、切換バルブ６ａ，７ａの作動で、油圧ポンプ８からの圧力、すなわち、油が切換バルブ６ａ，７ａを通過し得ずして、直接各圧力室Ｒ１，Ｒ２に流入することになり、速やかな中立状態への復帰を可能になる。
【００３８】
そして、このとき、アキュムレータ４ａ，４ｂにも油圧ポンプ８からの油が流入し得ないようにするために、同じく開閉バルブからなる切換バルブ４ｃ，４ｄが併設されてなるとしている。
【００３９】
それゆえ、この切換バルブ４ｃ，４ｄの作動で、油圧ポンプ８からの圧力、すなわち、油がアキュムレータ４ａ，４ｂに流入し得ずして、各圧力室Ｒ１，Ｒ２に流入し得ることになり、ダンパＤにおける速やかな中立状態への復帰を可能にし得ることになる。
【００４０】
以上からすれば、この図１に示すダンパＤにあっては、油圧ポンプ８の駆動でピストン２ａ，２ｂを中立位置に戻して、このダンパＤを中立状態に戻し得るのはもちろんのこと、各減衰バルブ６，７の作動でより確実な減衰作用を発現し得ることになる。
【００４１】
前記したところは、この発明によるダンパＤが建物免震を具現化する免震装置を構成するものとして説明したが、この発明の意図するところからすれば、このダンパＤが、たとえば、展示台における免震装置を構成するとしても良く、さらには、吊り橋における吊りワイヤの振動を抑制したり、鉄骨製のタワーにおける振動を抑制する制震装置に利用されるとしても良く、これらの場合に、ダンパＤが機能するところに差異がないことはもちろんである。
【００４２】
【発明の効果】
以上のように、請求項１の発明にあっては、各圧力室に連結された油圧ポンプを駆動することで、伸縮作動した後のダンパを中立状態に戻し得ると共に、各圧力室に連通してシリンダ体の外部に配在される流路が、シリンダ体の両端側から流路が延在される場合に比較して、全体的に短くなり、その結果、流路抵抗が小さくなるから、流路径を小さくし、また、各減衰バルブの径を小さくするなどして、全体的なコンパクト化が可能になる。
【００４３】
さらに、請求項２の発明にあっては、ダンパの伸縮作動時に各圧力室からの油がアキュムレータに流入せずして各減衰バルブを通過することになり、各減衰バルブの作動が保障されることになる。
【００４４】
そしてさらに、請求項３の発明にあっては、油圧ポンプを駆動してダンパを中立状態に戻すときに、相応する切換バルブの作動で各減衰バルブの作動が阻止され、油圧ポンプからの圧力、すなわち、油が直接各圧力室に流入することになり、速やかな中立状態への復帰を可能になる。
【００４５】
そして、このとき、同じく開閉バルブからなる相応する切換バルブが併設されることで、アキュムレータにも油圧ポンプからの油が流入し得なくなり、ダンパを中立状態に戻すことが速やかに実現されることになる。その結果、この発明のダンパによれば、所定の減衰機能を発揮し得るのはもちろんのこと、作動後に中立状態に戻すのを容易にして再利用を保障し、このダンパを有する、たとえば、免震装置の汎用性の向上を期待するのに最適となる。
【図面の簡単な説明】
【図１】  この発明の一実施形態によるダンパを原理的に示す図である。
【図２】  建物免震を具現化する免震装置を示す概略図である。
【図３】  従来例としてのダンパを図１と同様に示す図である。
【符号の説明】
１  シリンダ体
２ａ，２ｂ  ピストン
３  ロッド体
４ａ，４ｂ  アキュムレータ
４ｃ，４ｄ，６ａ，７ａ  切換バルブ
５ａ，５ｂ，５ｃ  流路
６  伸側減衰バルブ
７  圧側減衰バルブ
８  油圧ポンプ
８ａ，８ｂ  オペレートチェック弁
１１  隔壁部
Ａ  可動側たる建物
Ｂ  固定側たる地盤
Ｄ  ダンパ
Ｐ  免震体
Ｒ１  伸側圧力室
Ｒ２  圧側圧力室
【図１】
0004020369.tif 000002
【図２】
0004020369.tif 000003
【図３】
0004020369.tif 000004